(57)【特許請求の範囲】
【請求項１】
血液（１９）を吸収し、血液成分、例えば血漿をサンプル液体（２）として分離する装置（１）であって、前記血液（１９）を受け入れる供給器具（１３）と、血液成分を前記サンプル液体（２）として分離する分離器具（１５）と、好ましくは毛管力だけで前記サンプル液体（２）を吸収するチャネル（３）と、前記チャネル（３）に前記チャネル（３）の入口又は供給領域（１８）で前記サンプル液体（２）を充填する充填器具とを有する装置において、
前記分離器具（１５）は、凸状に湾曲していて、前記凸の形の頂点が充填方向において前記充填器具中に突き出たメンブレン（１５）であり、前記充填器具の底と前記分離器具（１５）の頂点との離隔距離が、１０〜２５ミクロンである、
ことを特徴とする装置。
【請求項２】
前記分離器具（１５）は、これを前記装置内に挿入する前に成形により凸の形にされる、
請求項１記載の装置。
【請求項３】
前記分離器具（１５）は、漏斗形保持要素（３１）に取り付けられている、
請求項１記載の装置。
【請求項４】
前記保持要素（３１）は、その中央領域に開口部（３２）を有する、
請求項３記載の装置。
【請求項５】
前記凸の形は、可動パンチ又はラム（２８）によって作られる、
請求項１記載の装置。
【請求項６】
前記パンチは、位置決め部材によって動くことができ、血漿の流れは、前記位置決め部材の作動によって動かされる、
請求項５記載の装置。
【請求項７】
前記パンチ（２８）は、前記メンブレンに接触するその端部がドーム状になっている、  請求項５又は６記載の装置。
【請求項８】
前記装置（１）は、キャリヤ（６）及びカバー（７）を有し、前記チャネル（３）は、前記キャリヤと前記カバーとの間に形成され又は前記キャリヤ及び前記カバーによって形成される、
請求項１記載の装置。
【請求項９】
前記装置は、パンチ（２８）を備えたカバー要素（３３）を有する、
請求項８記載の装置。
【請求項１０】
前記カバー要素（３３）は、前記装置（１）の製造中、前記カバー（７）に取り付けられる、
請求項９記載の装置。
【請求項１１】
前記カバー要素（３３）は、前記パンチ（２８）の側方に、トラフ状開口部（１４）を有し、液体が前記トラフ状開口部を通って前記供給領域（１８）中に導入可能である、
請求項９又は１０記載の装置。
【請求項１２】
前記パンチ（２８）は、トラフボア（３２）を有し、サンプル液体（２）は、前記トラフボアを通って前記供給領域（１８）に導入可能である、
請求項９又は１０記載の装置。
【請求項１３】
前記パンチの側壁（２６）は、内壁の表面上に設けられたデフレクタ要素、例えば隆起部（１０）を有する、
請求項１２記載の装置。
【請求項１４】
前記パンチ（２８）又は前記カバー要素（３３）は、付形インサートとして構成され、３次元形状の前記分離器具（１５）は、その形状を呈する、
請求項９ないし１３のいずれか１項に記載の装置。
【発明の詳細な説明】
【技術分野】
【０００１】
本発明は、血液を吸収し、血液成分、例えば血漿をサンプル液体として分離する装置に関する。
【０００２】
本発明は、マイクロフルイディック（「マイクロ流体」とも表現され、場合によっては「マイクロ流路」と表現される）システム又は装置に関する。以下の説明は、毛管力が作用し、特に動作にとって毛管力が極めて重要である装置に当てはまる。
【背景技術】
【０００３】
血漿を血液から分離する装置が米国特許第４，９０６，４３９（Ａ）号明細書及び国際公開第０１／２４９３１（Ａ１）号パンフレットから知られており、いずれの場合においても、複数の溝状又は毛管状の個々のチャネルが血漿を受け入れてこれを運び去るために設けられている。この装置に関する欠点は、チャネルが血漿の形態のサンプル液体で種々の速度で満杯になり又は全く満杯にならないということにある。したがって、一様な液体フロントを達成することができない。これは、診断学の観点では問題であり、というのは、同時に利用できる規定された量が存在しないからであり又は複数種類の乾燥化学薬品等を所望の量で又は必要な量でサンプル液体によって同時に溶解させることができないからである。
【先行技術文献】
【特許文献】
【０００４】
【特許文献１】米国特許第４，９０６，４３９（Ａ）号明細書
【特許文献２】国際公開第０１／２４９３１（Ａ１）号パンフレット
【発明の概要】
【発明が解決しようとする課題】
【０００５】
本発明の目的は、液体を吸収し、液体成分、例えば血漿を液体サンプルとして分離する一方で、サンプル液体によるチャネルの最適化された充填を可能にすると共に分離要素とチャネルの毛管接触を可能にし、好ましくは診断又は研究可能性を高くする改良型装置及び改良型方法を提供することにある。
【課題を解決するための手段】
【０００６】
本発明の基本的な技術的思想は、分離要素相互間、特にメンブレンと運搬チャネルとの間のフルイディック毛管接触を生じさせる器具を提供することにある。これにより、チャネルの最適且つ迅速であり、しかも一様な充填が可能になると共に望ましくない空気の取り込みが阻止される。
【０００７】
好ましくは、サンプル液体は、毛管力によりチャネル内に吸収され、チャネルは、構成上、少なくとも一方の幅の狭い又は長手方向側部が開口しており、その結果、チャネル内のサンプル液体のための側方液体停止部が形成されると共にサンプル液体を側壁が設けられていないチャネル内で案内することができる。具体的に説明すると、凹部がチャネルの開口側部に側方に隣接して位置する。
【０００８】
これにより、簡単な方法により、サンプル液体が、もしそのように構成されていなければ側壁が設けられている領域中で前方に押し出されるのが阻止される、即ち、チャネルはより迅速に充填される。これにより、充填速度をチャネルの断面全体にわたって一様にすることができ、その結果、少なくとも実質的に一様な又は真っ直ぐな液体フロントをチャネルの充填中に達成することができるようになっている。
【０００９】
チャネルの側方開口構造により、チャネルにサンプル液体を充填するときに向上した、特に最適なガス抜きが保証される。
【００１０】
さらに、サンプル液体の表面が側壁なしで保持され又は案内されることにより、本発明のように構成されていなければ設けられるはずの側壁等なしで、液体サンプルを特にこれに光を集中して当てることにより直接検査することができる。
【００１１】
好ましくは、凹部は、トラフ状構造のものであり、特に全ての側部が開口したチャネルを完全に包囲する。特に、非常に微小な構造体では、通常平坦な側部から幅の狭い側部への移行部のところに生じ、特に高い毛管力を有する内側縁部を完全になしで済ますことができる。しかしながら、同じことは、チャネルが側部で部分的にしか開口していない場合にも当てはまる。
【００１２】
変形例として、チャネルに側方に隣接して位置する凹部又は側壁は又、サンプル液体又は他の何らかの液体で充填可能であっても良い。この場合、凹部又は側壁は、サンプル液体によるチャネルの充填速度が凹部又はチャネルの充填方向における、特に長手方向における側壁に沿う充填速度以上であるように特にそのサイズ、曲率又は湿潤性に関して構成され或いはデフレクタ要素によって構成される。また、このようにすると、液体フロントがチャネルにサンプル液体を充填しているときに側方に前進するのを阻止することができる。
【００１３】
血漿又は血液成分のパラメータを求める別の提案される方法は、マイクロフルイディックシステムにおいて、血球を保持し又は分離した直後では、血漿の成分又はパラメータが１種類又は２種類以上の化学薬品によって直接求められることを特徴としている。これにより、構成が簡単且つコンパクトな装置を用いてかかるパラメータの迅速且つ安価な分析又は決定が可能になる。
【００１４】
本発明の別の利点、特徴、特性及び観点は、特許請求の範囲の記載及び図面を参照して行われる好ましい実施形態の以下の説明から明らかになろう。
【図面の簡単な説明】
【００１５】
【図１】第１の実施形態として提案された装置の概略断面図である。
【図２】図１の充填装置のキャリヤの概略平面図である。
【図３】図２のＩＩＩ‐ＩＩＩに沿った装置の概略断面図である。
【図４】図２のＩＶ‐ＩＶ線に沿った装置の概略縦断面図である。
【図５】第２の実施形態として提案された装置のキャリヤの概略平面図である。
【図６】第３の実施形態として提案された装置のキャリヤの概略平面図である。
【図７】第４の実施形態として提案された装置のキャリヤの細部の概略平面図である。
【図８】図７のＶＩＩＩ‐ＶＩＩＩ線に沿った装置の細部の概略断面図である。
【図９】第５の実施形態として提案された装置の概略縦断面図である。
【図１０】第６の実施形態として提案された装置の概略断面図である。
【図１１Ａ】凸状メンブレン構成例を備えた実施形態を示す図である。
【図１１Ｂ】凸状メンブレン構成例を備えた実施形態を示す図である。
【図１１Ｃ】凸状メンブレン構成例を備えた実施形態を示す図である。
【図１２】凸状メンブレン構成例を備えた実施形態を示す図である。
【図１３】パンチによって凸状に作られたメンブレンを有する実施形態を示す図である。
【図１４】パンチによって凸状に作られたメンブレンを有する実施形態を示す図である。
【図１５】パンチによって凸状に作られたメンブレンを有する実施形態を示す図である。
【図１６】パンチによって凸状に作られたメンブレンを有する実施形態を示す図である。
【図１７】凸状キャリヤ底又はベースを備えた実施形態を示す図である。
【図１８】凸状キャリヤ底又はベースを備えた実施形態を示す図である。
【図１９】インレイインサートを備えた実施形態を示す図である。
【図１９Ａ】インレイインサートを備えた実施形態を示す図である。
【図１９Ｂ】インレイインサートを備えた実施形態を示す図である。
【図１９Ｃ】インレイインサートを備えた実施形態を示す図である。
【図２０】ベントを備えた実施形態を示す図である。
【図２１】溶接メンブレンを備えた実施形態を示す図である。
【図２２】入口断面の拡大図である。
【図２２Ａ】入口断面の拡大図である。
【図２３】入口断面の拡大図である。
【図２３Ａ】入口断面の拡大図である。
【発明を実施するための形態】
【００１６】
図中、同一の参照符号は、同一又は類似の部品に用いられており、他方、対応の又は同等の特性及び利点は、関連の説明が繰り返されない場合であっても達成されるものとする。
【００１７】
図１は、サンプル液体（２）、特に血漿等を吸収すると共に／或いは分析する提案装置（１）からなる第１の実施形態を概略断面で示している。この装置（１）は、毛管力によりサンプル液体（２）を吸収するチャネル（３）を有する。チャネル（３）は、図１に示されているように、図示の実施形態では、一方の幅の狭い側部又は長手方向側部（４）について、或いは、幅の狭い又は長手方向側部（４）の両方について開口した構成のものである。
【００１８】
最後に、開口側部（４）に隣接して凹部（５）が設けられ、この凹部は、好ましくは、図示の実施形態では溝又はトラフの形態をしている。
【００１９】
サンプル液体（２）の側方液体停止部―従って、毛管力によっては打ち勝つことができない流れに対する障害―がチャネル（３）中に形成され、サンプル液体（２）を側壁なしでチャネル（３）中で開口側部（４）に沿って案内することができる。
【００２０】
図示の実施形態では、装置（１）は、キャリヤ（６）及び関連のカバー（７）を有し、これら相互間にチャネル（３）及び凹部（５）が形成されている。必要ならば、キャリヤ（６）だけを切除して必要な構造が形成され、カバー（７）は、平坦な構成のものであり、好ましくは、少なくとも実質的に凹部が設けられない。しかしながら、かかる状況は、逆であっても良い。しかしながら、必要ならば、キャリヤ（６）とカバー（７）の両方に凹部を設けると共に／或いはこれら両方は、所望の構造体を形成するよう突起を備え、オプションとして、化学薬品、試薬、研究又は検査手段等（図示せず）を受け入れるよう設計されるのが良い。
【００２１】
凹部（５）は、好ましくは、図１に示されているように鋭利な縁を備えたチャネル（３）に隣接して位置する。図示の実施形態では、凹部（５）は、キャリヤ（６）中にのみ形成され、図１に示されている図では、この凹部は、チャネル（３）の側方突出部に対して実質的に下方に延びているに過ぎない。しかしながら、凹部（５）は、上方に延びても良く、或いは、特に所望ならばチャネル（３）の側方突出部の両側で、即ち、上下に延びても良い。好ましくは断面が長方形である凹部（５）により、或る種の、特に階段状又は突然の断面の増加が生じ、それにより、毛管力を減少させてサンプル液体（２）のための上述の液体停止部が図１に示されているようにチャネル（３）から凹部（５）への移行部に形成されるようになっている。
【００２２】
チャネル（３）は、好ましくは、２つの対向した特に実質的に平坦な表面又は平坦な側部（８），（９）だけで構成され又は形成され、これら平坦な表面又は側部は、図示の実施形態ではキャリヤ（６）又はカバー（７）により形成され、互いに平行に延びる。したがって、所望ならば、凹部（５）を全く省いても良く、チャネル（３）を例えば所望の毛管力を生じさせるのに適した間隔を置いて２つの適当なストリップ等で形成しても良い。
【００２３】
図２は、カバー（７）が設けられていないが、液体フロントＶまでサンプル液体（２）で部分的に満たされた装置（１）のキャリヤ（６）を概略平面図で示している。図示の実施形態では、凹部（５）は、チャネル（３）の開口側部（４）に沿って、好ましくは少なくとも対向した開口長手方向側部（４）に沿って延びている。さらに、図示の実施形態では、チャネル（３）は、全ての側部が側方に開口するよう構成されており、凹部（５）は、それに応じて、これを包囲する設計のものである。
【００２４】
チャネル（３）は、全ての側部が凹部（５）によって包囲される。
【００２５】
好ましくは、凹部（５）は、チャネル（３）の幅の狭い側部又は長手方向側部（４）に隣接して位置し、これら側部は、図２に示されているようにサンプル液体（２）によるチャネル（３）の主充填方向Ｆに少なくとも実質的に平行に延びる。その結果、凹部（５）は、好ましくは、主充填方向Ｆに少なくとも部分的に平行に延びる。
【００２６】
図１０を参照して以下に説明する別の変形実施形態によれば、凹部（５）がサンプル液体（２）又はサンプル液体（２）と不混和性の別の液体、特に例えば油等で満たされることも又可能である。しかしながら、この場合、凹部（５）は、その充填速度がせいぜい、チャネル（３）の充填速度と同じほど高く、それにより凹部にサンプル液体（２）をできるだけ一様に充填することができるよう構成される。充填速度は、各々、主充填方向Ｆにおける液体フロントＶの充填又は前進に関連している。
【００２７】
変形例として、凹部（５）をサンプル液体（２）の導入前に他の流体だけでフラッシングしても良い。
【００２８】
チャネル（３）は、好ましくは、特に主充填方向Ｆに直角の実質的に長方形且つ／或いは平べったい断面を有する。
【００２９】
図１に示されているチャネル（３）の高さＨ―即ち、チャネル（３）を画定している好ましくは互いに平行な表面（８），（９）の離隔距離―は、せいぜい２０００ミクロン、好ましくはせいぜい５００ミクロン、特に約５０〜２００ミクロンである。凹部（５）は、好ましくは、高さＨの階段状又は突然の増大に至り、それにより所望の液体停止部が形成される。特に、凹部（５）の高さＨは、チャネル（３）の高さＨの少なくとも２倍である。
【００３０】
チャネル（３）の幅Ｂは、好ましくは、約１０００〜５０００ミクロン、特に約２００〜４０００ミクロンである。
【００３１】
チャネル（３）の高さＨは、チャネル（３）の幅Ｂよりも実質的に低く、特に少なくともその１／５又は１／１０である。
【００３２】
チャネル（３）の容量又は容積は、好ましくは、１ｍｌ未満、特に１００μｌ未満、特に好ましくは１０μｌ未満である。
【００３３】
装置（１）は、マイクロフルイディックシステムを形成している。特に、この装置（１）は、医療若しくは非医療又は他の研究のためのマイクロフルイディック診断に役立つ。
【００３４】
チャネル（３）並びにそれ故にその主充填方向Ｆ及び主延長平面Ｅは、好ましくは、使用位置では少なくとも実質的に水平に延びる。しかしながら、使用意図又は設計上の解決策に応じて、特にチャネル（３）へのサンプル液体（２）の吸い込み又はサンプル液体（２）によるチャネル（３）の充填は、好ましくは、主として毛管力だけで決定され又は実施されるので、別の位置合わせも又可能である。
【００３５】
主充填方向Ｆは、水平に又は所与の角度をなして延びても良く、これに対し、主延長平面Ｅは、例えば垂直に延び、従って、結果としてチャネル（３）は、縁を立てた状態に位置合わせされるようになる。
【００３６】
チャネル（３）は、好ましくは、特に診断を目的とするサンプル液体（２）のための少なくとも１つのリザーバを形成する。チャネル（３）は、オプションとして、化学薬品（図示せず）、特に乾燥化学薬品等を収容するのが良い。しかしながら、サンプル液体（２）に対する研究も又、他の何らかの仕方で実施できる。
【００３７】
図示の実施形態では、チャネル（３）は、サンプル液体（２）によるチャネル（３）の充填に影響を及ぼして特にこれを一様にする少なくとも１つのデフレクタ要素を有する。変形実施形態によれば、チャネル（３）は、好ましくは、デフレクタ要素として規則的に分布して設けられた隆起部（１０）を有する。これら隆起部は、特に直角に列をなして、好ましくは主充填方向Ｆに対して垂直に又は長手方向に、特に交互に直角にオフセットして配置される。隆起部（１０）は、主充填方向Ｆ中で互いにオフセットした列をなす。このように、サンプル液体（２）は、チャネル（３）を列毎に充填することができ、その結果、実質的に真っ直ぐな液体フロントＶが主充填方向Ｆに生じた状態で前進する。
【００３８】
必要ならば、隆起部（１０）の表面密度、間隔及び／又はサイズは、特にサンプル液体（２）の入口（図１及び図２には示されていない）からチャネル（３）中へのそれぞれの距離の関数として様々であって良い。
【００３９】
隆起部（１０）は、好ましくは、特に丸形又は多角形の底面を備えたウェブ、こぶ状突起若しくはバンプ又はコラムの形態をしている。しかしながら、これに代えて窪みを設けても良い。
【００４０】
代替的に又は追加的に、チャネル（３）は、デフレクタ要素としてチャネル（３）の主充填方向Ｆに対して横断方向に又は長手方向に延びる少なくとも１つのトラフ（１１）又はウェブを有しても良い。溝状トラフ（１１）が好ましくは設けられ、特に断面が長方形又は半円形のかかる溝状トラフは、凹部（５）よりも実質的に浅い深さを有し、従って、液体フロントＶを一様にする純粋に一時的な液体停止部を形成する。このように、サンプル液体（２）は、これがチャネル（３）をその断面全体にわたって充填した後まで、トラフ（１１）及び次のチャネル領域を充填しない。
【００４１】
強調されるべきこととして、側壁を用いないでサンプル液体（２）の案内とデフレクタ要素を組み合わせることにより、少なくとも実質的に真っ直ぐな線をなして又は主充填方向Ｆに垂直に延びる液体フロントＶが得られる状態で毛管力によりチャネル（３）の極めて一様な充填を達成することが可能である。変形例として、チャネル（３）及び／又はリザーバ、これらにより形成される収集チャンバ、収集領域等も又、構成が少なくとも実質的に滑らかであり又は扁平であって良く、即ち、具体的にいえばデフレクタ要素なしであって良い。
【００４２】
図３は、図２のＩＩＩ‐ＩＩＩ線に沿って取ったカバー（７）付きの装置（１）の別の概略断面図である。
【００４３】
装置（１）は、チャネル（３）と関連した少なくとも１つのベント（１２）を有し、このベントは、直接チャネル（３）に連結されていないで凹部（５）に連結されている。サンプル液体（２）がベント（１２）を通って逃げ出るのを阻止するためにベント（１２）のために追加の液体停止部を設ける必要がない。好ましくは全ての側部が側方に開口したチャネル（３）の構成により、チャネル（３）にサンプル液体（２）を充填しながら最適なガス抜きが可能であり、その結果、望ましくない空気の取り込みを確実に阻止することができるようになっている。
【００４４】
サンプル液体（２）を使用位置において、好ましくはチャネルの広がり方向Ｅに垂直に、特に鉛直方向にチャネル（３）に運搬することができる。
【００４５】
装置（１）は、サンプル液体（２）を吸収し、これをチャネル（３）に供給する供給器具（１３）を有する。図示の実施形態では、供給器具（１３）は、カバー（７）に設けられていて、好ましくは液体等を受け入れる開口部、特に小穴（１４）及び血漿をサンプル液体（２）として分離する分離器具（１５）、例えばフィルタ、メンブレン等を有する。分離器具（１５）は、図示の実施形態では、カバー（７）に設けられていて、キャリヤ（６）に向かって開口した隙間（１６）内に挿入され、小穴（１４）を覆う。好ましくは、分離器具（１５）は、例えば溶接又は接着によってカバー（７）に固定的に連結され或いは摩擦係合若しくはインターロック係合によりこれにより保持される。分離器具（１５）は、図示の実施形態では平坦な側部によってチャネル（３）と直接的に接触状態にあり、特に、分離器具（１５）は、好ましくはチャネル（３）の供給領域（１８）でチャネル（３）に設けられた好ましくは柱状の構造体（１７）等の上に位置する。構造体（１７）は、好ましくは、血漿又はサンプル液体（２）を毛管力により分離器具（１５）と対向したチャネル表面、この場合キャリヤ（６）によって形成されたチャネル（３）の底面（８）に逸らし、サンプル液体（２）による供給領域（１８）における底面（８）とカバー（７）との間の完全な充填を保証するためのくさび形凹部等を備えている。
【００４６】
構造体（１７）は、カバー（７）と底面（８）との間のチャネル（３）にサンプル液体（２）を充填する（完全に充填する）充填器具を形成している。しかしながら、この充填器具は、後で説明するように第５の実施形態によって別の形態に構成することも可能である。次に、サンプル液体（２）―図示の実施形態では第１のトラフ（１１）を乗り越えた後―は、図２に主充填方向Ｆで示されているように毛管力によりチャネル（３）内に更に吸い込まれる。
【００４７】
図４は、第１の実施形態として提案された装置（１）の好ましい構造を概略縦断面で示しており、この場合、供給された血液（１９）の１滴が例示目的で示されている。
【００４８】
分離器具（１５）は、必要ならば、特に図示の実施形態では所望に応じて血漿をサンプル液体（２）として血液（１９）から分離することができ、或いは、この分離を助けると共に／或いは必要に応じて血球の溶解を可能にする化学薬品、特に乾燥化学薬品を収容するのが良い。分離又は次の運搬は、特に毛管力だけで起こる。好ましくは、サンプル液体（２）を受け入れ又は運搬するたった１つのチャネル（３）が供給器具（１３）に隣接して位置する。チャネル（３）は、単一毛管であると理解されるべきである。しかしながら、必要ならば、チャネル（３）は、互いに異なる方向に又は互いに異なる領域に通じても良く、或いは、図５に記載された第２の実施形態及び図６に記載された第３の実施形態を参照して以下に説明するように枝分かれしていても良い。図５及び図６は、各々、いずれの場合においてもカバー（７）が設けられていない第２又は第３の実施形態としての装置（１）のキャリヤ（６）の平面図である。
【００４９】
図５に示されている第２の実施形態では、チャネル（３）は、例えば種々の研究、検査等を同時に実行するために、供給器具（１３）又は供給領域（１８）から始まって、互いに反対側の側部又は互いに逆方向に延びる。これにより、実質的に細長い構成が得られる。
【００５０】
図６に示されている第３の実施形態では、十字形の形態が提供されている。チャネル（３）は、４つの互いに異なる方向に延びている。したがって、例えば、４種類の互いに異なる研究、検査、反応等を同時に実施することができる。
【００５１】
第２の実施形態と第３の実施形態の両方において、凹部（５）は、好ましくは、この場合も又、側壁を使用しないで、チャネル（３）内におけるサンプル液体（２）の少なくとも部分的な案内を可能にするよう設けられる。具体的に説明すると、凹部（５）は、チャネルの形態全体を完全に包囲し、チャネル（３）は、好ましくは、全ての側部が側方に開口するよう構成される。
【００５２】
図７及び図８は、提案する装置（１）の第４の実施形態を示しており、特に、図７は、カバー（７）なしのキャリヤ（６）の平面図であり、図８は、カバー（７）が設けられている場合の図７のＶＩＩＩ‐ＶＩＩＩ線矢視図である。この場合、チャネル（３）は、サンプル液体（２）のための収集チャンバ（２０）を形成する。収集チャンバ（２０）は、構造が実質的に扁平であり、必要に応じて、図示の隆起部（１０）及び／又は他のデフレクタ要素等を有する。
【００５３】
第４の実施形態の装置（１）は、光をサンプル液体（２）中に導く、特に蛍光を測定する器具（２１）、特に光ファイバ等を有する。光は、チャネル（３）の開口側部（４）の付近でサンプル液体（２）の自由表面に当たり、好ましくは液体の表面に実質的に垂直である対応の急峻な衝突方向の結果として、光は、矢印（２２）により示されているようにサンプル液体（２）に入射する。ガス（空気）／サンプル液体（２）インターフェイスは、光の導入のために用いられる。これは、通常存在する側壁によって案内し、このため、望ましくないこととして散乱させなければならない必要性が回避され又は蛍光の発生が回避される。
【００５４】
図７に示されているように、入射光ビーム（２２）は、好ましくは、サンプル液体（２）／ガス（空気）インターフェイスで全反射により多数回反射される。これは、表面の垂線と入射光ビームのなす角度を全反射の臨界角よりも大きくすることにより達成される。包囲凹部（５）によって画定されると共に構成される収集チャンバ（２０）の底部又は底面は、それに応じて所望のビーム案内及び全反射を達成するために、図示の実施形態では適当な多角形によって設計されている。放射して入射した光（２２）は、蛍光測定又は蛍光分光のために用いられる。サンプル液体（２）、特にこの中に含まれているマーカ分子等（これらマーカ分子等は、チャネル（３）内に化学薬品として存在し、サンプル液体によって溶解されている）は、特定の波長により励起される。これにより、分子中に電子遷移が生じ、これら分子は、或る特定の期間後にこれらの元の状態に戻り、光子を放出する。放出される放射線は、図８に矢印（２３）によって示されており、かかる放射線は、検出器（２４）によって検出可能である。入射光ビーム（２２）に対する隆起部（１０）又は他のデフレクタ要素の影響を排除するために、光ビームの平面は、これら構造体の上方に又はこれらから間隔を置いたところに配置される。さらに、光ビーム平面は、少なくとも主延長平面に実質的に平行に又はチャネル（３）若しくは収集チャンバ（２０）の主延長平面Ｅ内において延びる。
【００５５】
提供される光の放射及び光の案内は、サンプル液体（２）又はこの中に含まれているマーカ分子等の実質的に全体的な励起を保証し、それと同時に微細構造体、例えば隆起部（１０）又は類似のデフレクタ要素の使用を可能にする。放出された光ビーム（２３）を入射方向（２２）に直角に、特に垂直に捕捉することは、入射光からの離脱に関して最適である。
【００５６】
図９は、提案する装置（１）の第５の実施形態の概略縦断面図である。
【００５７】
第１の実施形態と比較して、チャネル（３）を充填する充填器具は、構造体（１７）の代替手段として又は追加手段として、２つの平坦な側部（８），（９）相互間に、特に血漿又はサンプル液体（２）を分離器具（１５）又はカバー表面（９）から対向した底面（８）に向かって逸らして２つの表面相互間又は平坦な側部（８），（９）相互間に空間メニスカスを形成するための傾斜部又は斜面（２５）を有し、この傾斜部又は斜面（２５）は、かかる構成により、チャネル高さＨを減少させ又は実際にはかかるチャネル高さがゼロになることができるようにする。特に、分離器具（１５）は、斜面（２５）と直接的な接触状態にあるのが良く又はこの上に直接載っているのが良い。上述の充填器具を、カバー及びベースを湿潤させる器具と呼んでも良く又は理解しても良い。
【００５８】
図１０の概略断面図は、提案する装置（１）の第６の実施形態を示している。この場合、チャネル（３）に側方に隣接して位置する凹部（５）をサンプル液体（２）で充填することができ、かかる凹部は、特にその側壁（２６）の対応の丸みに基づくと共に／或いは対応の案内要素、例えば隆起部（１０）等の形成により、主充填方向Ｆ、即ち図１０の紙面に垂直な方向における凹部（５）の充填速度は、液体フロントの望ましくない側方前進を阻止するようチャネル（３）の充填速度を超えないように構成されるのが良い。注目されるべきこととして、図示の実施形態では、凹部（５）の高さＨは、ほぼチャネル（３）の高さＨに一致するに過ぎない。しかしながら、かかる高さは、好ましくは、これよりも高い。提案される装置（１）は、あらゆる種類の検査、研究等に適している。特に、かかる装置は、例えば血液（１９）、血漿等の免疫学的又は生化学的検査を可能にする。
【００５９】
一変形実施形態によれば、チャネル（３）は、被検査液体（２）を次々に充填することができる多くの調査若しくは研究領域又は収集領域（２０）を有するのが良い。このため、例えば、種々の調査を次々に実施できると共に／或いはサンプル液体（２）を次々に種々の試薬、特に乾燥化学薬品にさらし、かかる乾燥化学薬品を次々に溶解させることができる。
【００６０】
別の例示の実施形態によれば、第２の調査又は収集領域（２０）が第１の調査又は収集領域（２０）に隣接して位置するのが良く、第２の領域は、好ましくは、例えば挿入された不織布等の使用によって、毛管作用が実質的に高い。次に、サンプル液体（２）は、第１の領域を充填した後、特に、この中に入っている乾燥化学薬品を必要に応じて溶解させた後、第２の領域中に吸い込み又は運び込むのが良く、乾燥化学薬品は、第１の領域から洗い落とされ、このようにすると、例えば、次の調査が第１及び／又は第２の領域で可能になる。
【００６１】
別の変形実施形態によれば、第１の化学薬品、特に乾燥化学薬品は、好ましくは供給器具（１３）又は分離器具（１５）内に提供され、少なくとも１つの第２の化学薬品、特に乾燥化学薬品は、好ましくは、チャネル（３）又は収集領域（２０）内に提供される。これにより、サンプル液体（２）、血液（１９）等の有効な取り扱い又はこれへの有効な影響が可能になる。好ましくは、血漿を調査するため、第１の化学薬品は、血液（１９）の凝固を阻止し又は遅らせるよう設計されている。この目的のため、例えば第１の化学薬品としてＥＤＴＡ（エチレンジアミン四酢酸）を用いるのが良く、その目的は、ＥＤＴＡ血液を生じさせることにある。ＥＤＴＡは、血液凝固のために第ＩＶ因子として必要な血液中のカルシウムに結合する。
【００６２】
この場合、第２の化学薬品、好ましくは化学薬品の混合物が調査のために又は血漿中の１つ又は２つ以上のパラメータ、例えばグルコース、ケトン又はラクテートを量定するために用いられる。
【００６３】
好ましくは、少なくとも１つの細胞内パラメータ、例えば血液（１９）中のヘモグロビン値又はカルシウム値を調査するため、第１の化学薬品は、細胞、例えば血液細胞を溶解させ、カルシウム等を放出するよう設計されている。例えば、この目的のためにリジン緩衝液が用いられる。
【００６４】
この場合、第２の化学薬品、好ましくは化学薬品の混合物は、パラメータ、特にカルシウム含有量を調査し又は量定するために用いられる。マグネシウムイオンを反応からなくすために、混合物の一成分、好ましくはキレート薬８‐水酸化キノリンが用いられる。というのは、これらは、反応を邪魔するからである。別の錯化剤、好ましくはＯ‐クレゾールフタレインが、アルカリ性条件下においてカルシウムとの着色錯体を生じる。着色錯体の消衰度は、５７０ｎｍの波長でカルシウム濃度に比例する。かかる消衰度は、チャネル（３）若しくは収集領域（２０）内で直接求められ又はオプションとして除去後に求められる。しかしながら、他の測定値又は手順の採用も又可能である。特に、消衰度は、異なる波長で且つ／或いは異なる錯体、パラメータ等を量定するのにも使用できる。同じことは、他の、好ましくは光学測定方法、例えば蛍光測定法等に当てはまる。
【００６５】
さらに別の変形実施形態によれば、分離したサンプル液体（２）、特に血漿等の取り出しを可能にするために取り出し用開口部（図示せず）がカバー（７）及び／又はキャリヤ（６）に設けられる。取り出し用開口部は、好ましくは、所望の又は十分な取り出し量が得られるようチャネル（３）の少なくとも比較的大容量貯蔵領域（２０）等に連結される。
【００６６】
一般に、チャネル底からのメンブレン表面の離隔距離は、図１１Ａに示されているようにチャネルの高さに等しい。この場合、血液分離のための分離要素がチャネル内への血漿の妨げられない流れに対してフルイディックバリヤとなる場合があるという問題が生じる。これは、メンブレン又はフィルタ要素が繊維織物ネットワーク又は多孔質材料から成っているということにより生じる。用いられる材料は、フリース又は多孔質セラミック並びに金属メッシュの状態に組み合わされ又は圧縮された人工繊維であるのが良い。フィルタ材料又は濾過材は、メッシュ構造フィルムの結果として、大きな毛管力を示す枝分かれチャネルを有し、かかる枝分かれチャネルにより、フルイディック成分は、フィルタ又はメンブレン中に保持される。メンブレンの孔径は、０．０１ミクロン〜１．２ミクロン、特に０．２〜０．６ミクロンである。メンブレン密度は、５０ミクロン〜５００ミクロン、好ましくは１２０μｍ〜１８０μｍである。多孔度、即ち材料で構成されていないメンブレンの体積の割合は、４０〜９０％、好ましくは７０〜８０％である。用いられる多孔質材料は、種々の材料であって良く、例えば、細孔容積が７０％を超え、孔径が０．５ミクロンのナイロン、特に等方性発泡ナイロン６０であり、更に又、好ましくは、孔径が０．６ミクロンの親水性ポリビニルジフルオリドである。
【００６７】
次に、血液の１滴が供給器具（１８）の入口領域に配置されると、血液の半球形液滴が図１１Ｂで理解できるようにメンブレン（１５）の表面上に生じる。重力及び流体圧力の結果として、血漿は、メンブレン（１５）のチャネルを通って流れ、大きな血液粒子を保持し、かかる血漿は、液圧の結果として、メンブレンに付着している下面上に血漿膜又は血漿液滴を生じる。血液又は血漿の量が少ないので、或いは、特に、メンブレンとチャネルの底との間に充填されるべき死空間が広い場合、血漿とチャネルとの間にはフルイディック付着性が生じない場合がある。一般に認められているように、血漿の流れは、チャネル壁に沿って特にチャネル底に流れる場合が多く、そしてチャネル（３）又は収集領域（２０）をゆっくりと充填する。しかしながら、充填プロセスの開始は、これにより遅れ、その結果、フルイディックチャネル構造体に連結された診断又は分析装置の機能に対してマイナスの影響を及ぼす望ましくない長い流動時間が生じる。このように、分離要素とチャネルとの間の充填領域中の死空間は、血漿の流量に対して妨げ又は抵抗として作用する。
【００６８】
本発明の別の目的は、この妨げを制御されたレベルに設定し、特にこれを最小まで減少させることにある。
【００６９】
有利には、分離要素（１５）を図１１Ｂに示すように構成することにより流れ抵抗を最小限に抑えることができる。このために、分離要素（１５）は、チャネル底の方向に凸状に作られ、その結果、分離要素は、好ましくは、チャネル底の中央領域上に載るようになり、或いは、変形例として、凸の形の頂点がチャネル底の近くまで延びるようになる。充填器具の底部、特にチャネル底からの分離要素の離隔距離は、好ましくは１ミクロン〜１００ミクロン、特に１０ミクロン〜２５ミクロンである。
【００７０】
これにより、重力又は液圧の結果としてメンブレンの下面から出る血漿液体は、チャネルを直接湿潤し、この湿潤箇所から始まって、図１１Ｂ及び図１１Ｃに概略的に示されているようにチャネル中に流入するようになる。好ましい実施形態では、用いられるメンブレン（１５）の直径は、２〜１０ｍｍ、特に２５０〜３５０ミクロンである。
【００７１】
有利には、凸又は頂点の高さの値Ｗは、図１２Ａに概略的に示されているように、ほぼメンブレン密度である。先に示した実施例では、メンブレン厚さが２５０ミクロンの場合、値Ｗは、好ましくは１００ミクロン〜３００ミクロンである。凸の高さの値は、有利には、入口領域のチャネル又は運搬メンブレン（１５）の下に位置するチャンバの高さにほぼ一致するべきである。図１に従って構成されたチャネルの深さが好ましくは５０〜２００ミクロンなので、凸の高さＷも又、トラフの深さに応じて５０〜２００ミクロンの範囲内で様々な場合がある。
【００７２】
有利には、チャネル壁及び特にチャネル底は、図２に示されているように毛管のように体積流量を増大させる要素（１０）を有する。特に有利には、垂直切欠きを備えた要素（１７）がアフリカ地域工業所有権機関第１０１３３４１（Ｂ１）号パンフレットに開示されているようにチャネル底上に挿入される。切欠きの幾何学的形状により、充填領域から分離要素を通ってチャネル底までの垂直流れが開始されると共に支援される。
【００７３】
図１２は、チャネル底上におけるこの種の要素を示しており、複数の要素がチャネルの底上に互いに対して配置されており、隙間が曲がりくねった毛管のようになっていることの結果として、チャネルの方向における収集チャンバ（２０）中の流体又は血漿の水平体積流れが生じるようになる。
【００７４】
有利には、メンブレンの凸の曲率は、メンブレンをその中心方向に固定する際にメンブレンをひっくり返すことによって得られ、その結果、メンブレンは、その中心に向かって撓むようになる。これは、メンブレンの直径をメンブレンが収納固定されている、特に接着されている空間の直径よりも大きくすることによっても達成できる。対応の保持ツール（図示せず）が凸の表面形状を有している場合、メンブレンは、固定領域に配置されて接着される。ツールの凸の形状は、メンブレンの撓みを生じさせる。
【００７５】
接着に代わる手段として、メンブレンを固定するのに熱的プロセス、例えば溶接、特に超音波溶接を用いることができ、他方、メンブレンは、有利には、この場合あらかじめ付形された保持ツールによっても装置の２つのプラスチック要素相互間で加圧される。
【００７６】
固定プロセス中におけるメンブレンの分離要素の付形の代替手段として、分離要素の凸状撓みが、この形状を分離要素に刻印することによっても前もって得られる。
【００７７】
金属濾過材では、例えば、これら濾過材をドーム状の、特に凸形状に加圧し又は曲げることが可能である。
【００７８】
不織材料の場合、これに対応して構成されたツールで圧力及び／又は温度及び／又は追加の化学的固定剤又は接着剤を適用した状態で加圧作業を行うことも可能である。変形例として、合成繊維からの不織材料の製造中であっても、不織布のニードリング及び圧密化中、有利には凸の形を刻印する。
【００７９】
別の有利な実施形態では、分離要素は、２つ又は３つ以上の部分、特に２つの層をなして構成され、柔軟性メンブレンが図１２Ａに示されているように固定された保持要素、特にメンブレンホルダ（３１）上に設けられる。有利には、メンブレンは、漏斗状保持要素の外側領域に接着されるが、クランプ要素によって固定されても良い。漏斗状メンブレンホルダ又は付形インサート（２９）は、中央領域に貫通開口部又はボア（３２）を有し、漏斗に血液を充填すると、血液は、開口部（３２）を通ってメンブレン中に流れることができるようになっている。
【００８０】
図１３に示されている本発明の別の有利な実施形態では、メンブレン（１５）は、分離器具（１５）として設けられている。血液（１９）の１滴が供給領域（１８）及びカバー（６）の開口部（１４）に添加されると、液滴は、図１３Ａでは平べったいメンブレン（１５）上に位置するようになる。
【００８１】
次のステップでは、図１３Ｂで理解できるように、ラム（２８）を開口部（１４）内に挿入し、このラムは、メンブレン表面をチャネルの内部に向かって変形させてメンブレンの形状を凸状にする。
【００８２】
パンチ（２８）も又好ましくは、メンブレンに接触するその端部が凸状になっている。
【００８３】
ラム（２８）の挿入は、オペレータによる手作業か作動駆動手段による自動作動装置の使用かのいずれかによって行われるのが良い。後者の場合、ラム（２８）は、位置決め駆動装置に取り付けられ、位置決め駆動装置は、ラムがメンブレンをチャネルの底に向かって下方に押圧するようラムを動かす。位置決め駆動装置は、圧電位置決め部材又はステッピングモータ若しくは他の適当な機械的若しくは電気的作動手段により作動可能である。好ましくは、ラム（２８）は、実施されるべき分析ステップの関数として下方に動かされる。
【００８４】
ラム（２８）を自動的に動かすためにセンサが装置に設けられるのが良い。これらセンサは、血液（１９）の１滴の送り込みを検出し、ラム又はパンチ（２８）を、センサ信号を記録したり処理したりする制御装置、特にマイクロプロセッサによって作動させる。
【００８５】
図１４に示されている実施形態では、チャネル（３）は、キャリヤ（６）に設けられた凹部（５）及びカバー（７）に設けられたこれと一致する切欠きによって形成されている。カバー（７）は、チャネル（３）の端領域に開口部を有する。この開口部（１４）は、圧力要素（３３）によってカバー（７）の頂部に向かって閉鎖されている。
【００８６】
カバー要素（３３）は、パンチ（２８）及び供給領域（１８）中に血液（１９）の１滴を送り込むことができるようにする開口部（１４）を有する。カバーの切欠き（１６）内には分離要素（１５）、特にフィルタメンブレンが設けられており、かかる分離要素は、この切欠き内に固定される。この固定は、例えば、カバー（７）への接着又は溶接によって実施されるのが良い。図１４の装置（１）の製造にあたり、第１ステップにおいて、メンブレンをカバー（７）に取り付ける。次の製造ステップにおいて、メンブレンを備えたカバー（７）とキャリヤ（６）を互いに接合する。
【００８７】
第１ステップに続く別の製造ステップにおいて、被覆要素（３３）をカバー（７）に取り付け、その結果として、ラム（２８）は、メンブレンを凸状に変形させ、その結果、供給器具（１３）中の死空間を減少させ、凸状メンブレン（２７）の頂点がチャネルの底の近くにまで延びるようにする。この結果、メンブレン（２７）とチャネル（３）との間の流れ抵抗が著しく減少した装置（１）が得られる。図１５に示されている実施形態では、パンチ（２８）は、供給領域中のキャリヤ（６）に設けられているボア内に挿入される。このために、パンチのシャフトは、パンチのヘッドに隣接して位置する第１の部分を有し、この第１の部分の長さは、ボアの領域のキャリヤ（６）の厚さに一致し、かかる第１の部分は、パンチを挿入したときにボアを封止する。
【００８８】
パンチのシャフトの第２の部分は、切欠き又は型彫り部を備え又はシャフトの長手方向にこれを貫通して延びる小穴を有する。パンチのシャフトのこの第２の部分は、供給領域（１８）の底、特にチャネル（３）の底又は収集チャンバ（２０）の底から分離要素（１５）まで延びており、かかる第２の部分は、分離要素と接触状態にあり、その結果、パンチの型彫りシャフトは、上述の底とメンブレン（１５）との間の垂直流体結合を確立するようになっている。
【００８９】
特に有利には、パンチのシャフトは、その好ましくは円筒形外面に設けられていて、分離された血漿の毛管流を助長する隆起部又はデフレクタ要素（１０）を備えるのが良い。
【００９０】
図１６は、カバー要素（３３）が血液（１９）の１滴を供給領域（１８）中に導入する中央ボア（３２）を備えた装置を示している。カバー要素（３３）は、カバー（７）に取り付けられ、例えばこれに超音波溶接されている。
【００９１】
圧力要素（３３）、カバー（７）及びキャリヤ（６）は、好ましくは、プラスチックで作られる。
【００９２】
メンブレン（２７）は、カバー（７）とキャリヤ（６）との間にクランプされ、特に定位置に溶接される。
【００９３】
図１６に示されている実施形態では、圧力要素（３３）は、付形インサート（２９）の形態をしており、付形インサート（２９）は、チャネル（３）の方向に３次元（立体）構成のものであり、メンブレンは、凸状に湾曲し、チャネル（３）の底、特にチャネルの底に設けられたデフレクタ要素（１０）と流体接触関係をなしている。
【００９４】
図１７に示されている実施形態では、装置（１）の製造中、先ず最初に、分離要素（１５）をカバー（７）に連結してこれがチャネルの入口領域に向かって供給器具（１３）の供給領域（１８）を下方に閉鎖するようにする。
【００９５】
チャネル（３）の形態をした切欠きを有するキャリヤ要素（６）は、カバー（７）の開口部の付近では、即ち、カバー（７）に扁平に取り付けられたメンブレン（２７）の領域では、キャリヤの表面が開口部の中央領域と反対側に配置されたキャリヤ（６）の領域においてキャリヤ（６）とカバー（７）との間の接合平面を越えて延びるよう設計されている。これは、例えば、キャリヤ（６）の表面を図７に示されているようにこの領域中に凸状内方に膨らませてメンブレン（２７）に圧接させ、そしてこのメンブレンをそれに応じて撓ませてキャリヤ（６）の形状に一致させるようにすることにより達成できる。有利には、キャリヤ表面は、この領域に、血漿が水平流体流れを呈するようにするデフレクタ要素（１０）を更に備えている。
【００９６】
図１８に示されている実施形態では、装置（１）は、３つの層をなして構成されている。キャリヤ（６）は、中間要素（３４）、この場合チャネルを形成するチャネル要素（３４）を介してカバーに連結されている。この目的のため、中間要素（３４）は、例えばキャリヤ（６）に接着されると共にカバー（７）に接着されている。中間要素（３４）は、好ましくは、両面接着フィルムである。このチャネル構造体、特にチャネル（３）は、例えば完成された形状の打ち抜きにより中間要素に設けられる切欠き（１６）として又は成形若しくは鋳造プロセス中に設けられる切欠きとして形成されている。
【００９７】
有利には、案内チャネル及び流体チャンバの全てが中間要素内に配置されるこの実施形態では、カバー（７）及びキャリヤ（６）は、流体運搬構造体のための凹部（５）なしの平板状要素として構成されるのが良く、高精度高コストの微細加工ツールの使用がかなり減少し、製造が容易になる。
【００９８】
図１８に示されている実施形態では、フルイディック接触を確立すると共にチャネルの入口領域における流体抵抗を減少させるために、キャリヤ要素（６）は、メンブレン（２７）の方向に付形されるべきであり、特に、少なくとも１つのペグ（３７）が、キャリヤ要素（６）中に挿入されるべきであり、このペグは、チャネル要素（３４）とキャリヤ要素（６）との間の接合平面からメンブレンに向かって突き出ていて、メンブレンとフルイディック接触関係をなしている。
【００９９】
ペグ（３７）は、例えば、キャリヤ（６）の製造中、成形により、或いは、その後、機械的及び／又は熱的エンボス加工によってキャリヤ要素中に直接設けられても良い。
【０１００】
図１９に示されている実施形態では、チャネル（３）は、キャリヤ（６）に設けられた凹部（５）として形成されている。
【０１０１】
分離器具（１５）、この場合フィルタ要素（１５）は、凹部（１６）内に配置され、このフィルタ要素は、インレイ要素又はインサート（３５）と一緒になって、供給器具（１３）を形成している。血液（１９）の１滴が供給領域（１８）中に送り込まれる場合、血液は、フィルタ（１５）によって吸収されて濾過され、チャネルの方向に出た血漿は、フィルタ（１５）のチャネル側に配置されたインサート（３５）によって吸収される。
【０１０２】
インサート（３５）は、幾何学的に、その高さがチャネル底とフィルタ（１５）の下面との間の隙間の高さに実質的に一致すると共にインサート（３５）が入口領域におけるチャネル底又はチャンバ底とフィルタの下面との両方に接触するよう設計されている。好ましくは、インサート（３５）は、インレイ要素（３５）であり、このインレイ要素は、キャリヤ（６）がカバー（７）に連結された場合、インサート（３５）がフィルタとキャリヤ（６）との間の接触圧力によって保持されることにより固定されることを意味している。
【０１０３】
インサートは、弾性プラスチック材料又はゴムから例えばＯリングとして作られるのが良い。
【０１０４】
図１９Ｂに示されているインサート（３５）の好ましい実施形態では、インサート（３５）は、別のフィルタ材料又は濾過材から成り、かかるフィルタ材料又は濾過材は、多孔質セラミック材料、繊維材料で作られたスポンジ、金属格子若しくはメッシュ要素又はチャネルを備えた構造体で作られた他の何らかの適当な要素であるのが良い。
【０１０５】
使用できる他の材料は、ゲル状スポンジ又はポリマー、例えば多糖類又はシリコーンである。かかるポリマーの例は、サッカロース、ポリアリルアミド又はアガロースである。有利には、試薬、例えば坑凝固薬（Ｋ２ＥＤＴＡ）をスポンジ状又はゲル状材料中に導入するのが良い。
【０１０６】
図１９Ａに示されている別の好ましい実施形態では、インサート（３５）は、馬蹄形インレイ要素（３５）の形態をしている。インレイ要素は、無孔プラスチック材料から成るのが良いが、インレイ要素を上述のチャネルを備えた材料の１つから作ることも可能である。
【０１０７】
特に好ましくは、インレイ要素は、その縁部領域に少なくとも１つの切欠き（３６）、特にチャネル（３）の血漿チャンバ（２０）中への血漿の垂直送り込みを助ける複数個の切欠き（３６）を有する。有利には、インレイ部品の断面は、図１９Ａの断面Ａ‐Ａで示されているようにくさび形であっても良く、くさびの頂点は、メンブレン表面と接触状態にあり、それにより流体接触を確立する。
【０１０８】
供給領域の容積部中に存在する空気は、血液の１滴が添加されると、充填領域中に導入される場合がある。
【０１０９】
一方において、これは、空気を図２０に記載されているペグ（３７）上に載っているフィルタ（１５）の下に位置する領域から押し出してチャネル中に押し込むという作用効果を発揮する場合がある。これら気泡は、大きな流れ抵抗をもたらし、従って、望ましくない。さらに、血漿の液圧に対抗する圧力を生じさせて深刻な流れ抵抗をもたらす空気の堆積が生じる場合がある。したがって、有利には、チャネル（３）に直角に収集チャンバ（２０）に側方ベント（１２）が設けられる。供給器具（１３）に設けられるこの種のベントは、図１〜図２３に示されている実施形態の全てに設けられるのが良い。
【０１１０】
フィルタ（１５）がキャリヤ（６）、カバー（７）及び中間要素（３４）を有する構造体中でしっかりと密封されるようにするために、フィルタは、その固定領域に、圧縮部材（３８）を備え、この圧縮部材は、圧縮部材（３８）の領域のフィルタ材料又は濾過材を圧縮する。図２１に示されているこの種の装置では、凹部（５）は、チャネル（３）を形成するようキャリヤ要素（６）に形成される。中間要素は、両側に接着剤を備えたフィルムの形態をしたプラスチック部品であり、接着剤は、くっつきによりカバー（７）とキャリヤ（６）の両方への接触をもたらすと共にこれらを互いに取り付ける。フィルタと接触関係をなしてインサート（３５）が配置され、このインサートは、供給器具の領域でインレイ部品（３５）の形態をしている。
【０１１１】
図１８に示されている実施形態では、分離器具又はフィルタ（１５）は、カバー（７）中に接着され又は溶接され、溶接は、例えば超音波溶接又は熱溶接によって実施される。  図２２に示されているこの構成の一実施形態では、供給領域が上から見た状態で示されている。この平面図は、例えば供給領域にサンプル収集チャンバ（２０）及びチャネル（３）を形成する切欠きを備えたチャネル要素である中間要素（３４）を示している。上に位置するキャリヤ（６）のデフレクタ要素（１０）がサンプルチャンバ（２０）の付近に見える。
【０１１２】
中間要素の平面の上方には、溶接線（固定線）（３９）が概略的に示されており、かかる溶接線（３９）は、上側カバー（７）内に位置した状態で、カバーを備えたフィルタ又はフィルタメンブレン（１５）を塞ぐ。中間要素は、特に、両面に接着剤を備えたフィルムである。
【０１１３】
血液の１滴を添加すると、分離された血漿は、収集チャンバ（２０）中に流れ、そしてデフレクタ要素の助けによりチャネル（３）中に運び込まれる。チャネル（３）の入口領域は、流れ断面の明確且つ急峻な絞り又は減少部となる。
【０１１４】
図２２Ａに示されているように、空気は、チャネル（３）中に流入することができ、その結果、気泡の流れは、チャネルに入る場合があり、それにより流れ抵抗を著しく増大させ又は流れを完全な停止状態にする。特に固定線（３９）の付近では、空気の横方向内向き流（４０）が生じる場合がある。というのは、フィルタ材料又は濾過材が溶接中のこの時点における圧縮の結果として、キャビティの後ろに位置したままになり、空気は、キャビティから内方に流れることができるからである。
【０１１５】
したがって、サンプルチャンバ（２０）からチャネル（３）への移行の有利な実施形態では、図２３に示されているように、流れ断面が収集チャンバから移行領域に沿ってチャネルまで連続的に減少する。これは、例えば、断面積を図２２に示されているように減少させてついには減少した断面（４１）がチャネル（３）の断面の約２〜５倍になるようにすることにより段階的に得られる。
【０１１６】
図２３Ａに示されているように、断面の段部（４１）は、包囲している固定線（３９）がこの断面段部の付近で収集チャンバ（２０）から出口領域に沿ってゆっくりと下り、チャネル（３）との交差部を形成せず、それによりチャネル（３）中への空気の直接的な内向き流（４０）を阻止するよう配置されている。
【０１１７】
明らかなこととして、空気は、流れに関するこの実施形態では断面段部（４１）の領域中に流入するが、これは、大きな断面を有しているので、それに応じて、気泡の内向き流がこの断面を塞ぎ、それにより、場合によっては流体の流れを遮断するのに長い時間がかかる。
【０１１８】
図示の多くの実施形態では、チャネル（３）の底又は供給器具（１８）の底は、デフレクタ要素（１０）を有する。これらデフレクタ要素は、流体の垂直流れによる湿潤を助けるのに役立つ。デフレクタ要素（１０）相互間の毛管作用を発揮する隙間は又、互いに対して適切に位置決めされる場合、流体の水平流れを助長する。
【０１１９】
これら全ての実施形態に共通の一特徴は、デフレクタ要素が作用上必要不可欠なコンポーネントではないということにある。フィルタ又はメンブレン（１５）とチャネル（３）又は供給器具（１８）の底との間に存在する毛管作用を発揮する隙間も又、デフレクタ要素（１０）と同一の仕方で作用する。というのは、接触面又は供給面でのメンブレンに向かう底の曲率の結果として、低い高さ及び高い毛管作用のくさび形毛管作用隙間が得られるからである。
【図１】
0005475692.tif 000002
【図２】
0005475692.tif 000003
【図３】
0005475692.tif 000004
【図４】
0005475692.tif 000005
【図５】
0005475692.tif 000006
【図６】
0005475692.tif 000007
【図７】
0005475692.tif 000008
【図８】
0005475692.tif 000009
【図９】
0005475692.tif 000010
【図１０】
0005475692.tif 000011
【図１１Ａ】
0005475692.tif 000012
【図１１Ｂ】
0005475692.tif 000013
【図１１Ｃ】
0005475692.tif 000014
【図１２】
0005475692.tif 000015
【図１２Ａ】
0005475692.tif 000016
【図１３Ａ】
0005475692.tif 000017
【図１３Ｂ】
0005475692.tif 000018
【図１４】
0005475692.tif 000019
【図１５】
0005475692.tif 000020
【図１６】
0005475692.tif 000021
【図１７】
0005475692.tif 000022
【図１８】
0005475692.tif 000023
【図１９】
0005475692.tif 000024
【図１９Ａ】
0005475692.tif 000025
【図１９Ｂ】
0005475692.tif 000026
【図２０】
0005475692.tif 000027
【図２１】
0005475692.tif 000028
【図２２】
0005475692.tif 000029
【図２２Ａ】
0005475692.tif 000030
【図２３】
0005475692.tif 000031
【図２３Ａ】
0005475692.tif 000032